(57)【要約】【課題】  簡単に指を入れることができ、かつ安全な鍋つかみを提供する。【解決手段】  四指挿入部は、四指保護面と下部把持面とを有して親指以外の他の４本の指を挿入する袋状に形成されている。四指保護面は、４本の指の付け根まで手の甲を保護する。下部把持面は、つかむ物に接する面となる。親指挿入部は、上部把持面と親指保護面とを有して親指を挿入する袋状に形成されている。上部把持面は、下部把持面に対向して物を把持する面となる。親指保護面は、親指の甲の一部を保護する。四指保護面と下部把持面と上部把持面と親指保護面とは順に重なるように形成されている。指を挿入する側で下部把持面と上部把持面とが結合している。【選択図】    図１
0003111824.tif 000002
【実用新案登録請求の範囲】
【請求項１】
四指挿入部と親指挿入部とを備え、
前記四指挿入部は、四指保護面と下部把持面とを有して親指以外の他の４本の指を挿入する袋状に形成され、前記四指保護面は４本の指の付け根まで手の甲を保護し、前記下部把持面はつかむ物に接する面となり、
前記親指挿入部は、上部把持面と前記親指保護面とを有して親指を挿入する袋状に形成され、前記上部把持面は前記下部把持面に対向して物を把持する面となり、前記親指保護面は親指の甲の一部を保護し、
前記四指保護面と前記下部把持面と前記上部把持面と前記親指保護面とは順に重なるように形成され、指を挿入する側で前記下部把持面と前記上部把持面とが結合していることを特徴とする鍋つかみ。
【請求項２】
前記下部把持面は、前記四指保護面より小さく、
前記親指保護面は、前記上部把持面より小さい請求項１に記載の鍋つかみ。
【請求項３】
前記下部把持面及び前記上部把持面は、結合部両端において前記下部把持面と前記上部把持面とを重ねるように結合されている請求項１または請求項２に記載の鍋つかみ。
【請求項４】
前記上部把持面及び前記下部把持面は、指先に接する部分に滑り止めをもつ請求項１から請求項３のいずれかに記載の鍋つかみ。
【考案の詳細な説明】
【技術分野】
【０００１】
この考案は、容易に装着することができる鍋つかみに関する。
【背景技術】
【０００２】
電子レンジやオーブンに入れた熱い取り出したり、熱い鍋を持ち上げたりする鍋つかみは、従来から種々の形態が提案されている。
【０００３】
特許文献１には、手袋状の鍋つかみが提案されている。特許文献１では、手首まで挿入する構造であるため、鍋つかみの装着に両手を必要とし、急いでいる場合や、片手がふさがっている場合に装着が遅れるとともに、置き場所に広いスペースを必要とする。また、ごわごわしてものをつかみにくい。
【０００４】
特許文献２には、立体的に配置し、指先だけを挿入することにより容易に装着できる鍋つかみが提案されている。特許文献２によれば、鍋つかみを立てた状態で装着する必要があり、テーブルなどに置いたままの状態では装着しにくい。また、大きさが小さいため、指先しか保護されず、手の甲が十分に保護されない。
【０００５】
【特許文献１】実開昭６２−１５１８３２号公報
【特許文献２】特開平１０−３２８０５０号公報
【考案の開示】
【考案が解決しようとする課題】
【０００６】
本考案は、テーブルの上においた状態でも、壁に掛けた状態でも、片手で容易に指を挿入して装着することができ、かつ、安全な鍋つかみを提供することを目的とする。
【課題を解決するための手段】
【０００７】
この考案の第１の鍋つかみは、四指挿入部と親指挿入部とを備え、四指挿入部は、四指保護面と下部把持面とを有して親指以外の他の４本の指を挿入する袋状に形成され、四指保護面は４本の指の付け根まで手の甲を保護し、下部把持面はつかむ物に接する面となり、親指挿入部は、上部把持面と親指保護面とを有して親指を挿入する袋状に形成され、上部把持面は下部把持面に対向して物を把持する面となり、親指保護面は親指の甲の一部を保護し、四指保護面と下部把持面と上部把持面と親指保護面とは順に重なるように形成され、指を挿入する側で下部把持面と上部把持面とが結合している。
【０００８】
第１の鍋つかみによれば、四指挿入部と親指挿入部とが平面状に形成されているため、手袋状の鍋つかみに比較して、簡単に指を入れることができ、さらに、４本の指を保護する四指保護面は指の付け根までを保護するため、手首まで保護する場合に比較して簡単に装着することができ、かつ、熱いものに接しやすい各指の甲は保護されているため安全である。
【０００９】
この考案の第２の鍋つかみは第１の鍋つかみにおいて、下部把持面は、四指保護面より小さく、親指保護面は、上部把持面より小さい。第２の鍋つかみによれば、四指挿入部を下にして置いた状態で、四指挿入部と親指挿入部との挿入口がともに上を向いた状態となるため、鍋つかみを持ち上げることなくさらに簡単に指を挿入することができる。
【００１０】
この考案の第３の鍋つかみは第１または第２の鍋つかみにおいて、下部把持面及び上部把持面は、結合部両端において下部把持面と上部把持面とを重ねるように結合されている。第３の鍋つかみによれば、四指挿入部と親指挿入部とを重ねた状態を安定して維持することができるため、鍋つかみを持ち上げることなくさらに簡単に指を挿入することができる。
【００１１】
この考案の第４の鍋つかみは第１から第３のいずれかの鍋つかみにおいて、上部把持面及び下部把持面は、指先に接する部分に滑り止めをもつ。第４の鍋つかみによれば、物をつかむ際に指先が滑って鍋つかみがずれたり、はずれたりすることを防止できるため、さらに安全にものをつかむことができる。
【考案を実施するための最良の形態】
【００１２】
この実施形態の鍋つかみ１は、柔軟性と耐熱性とを兼ね備えた材質で形成されており、例えば、布地、厚手の布地、布地の間に綿や不織布を心材として入れたもの、厚手の織物、耐熱性繊維、スポンジ、ゴムなどで形成されている。この実施形態では布地を用いた鍋つかみ１について説明する。
【００１３】
鍋つかみ１は、図１の平面図及び図２の斜視図に示すように、四指挿入部２と親指挿入部３とを備える。四指挿入部２は、四指保護面４と下部把持面５とを有する。親指挿入部３は、上部把持面６と親指保護面７とを有する。四指保護面４と下部把持面５と上部把持面６と親指保護面７とは順に重なるように形成されている。
【００１４】
四指挿入部２は、布地でそれぞれほぼ平面状に形成された四指保護面４と下部把持面５とを重ね合わせ、親指以外の４本の指を入れる入口付近を残して周囲を袋状に縫い合わされている。下部把持面５の外周を含む四指保護面４の外縁は、両面を挟むように布８が一緒に縫われて補強されている。
【００１５】
四指挿入部２は、物をつかむ際に便利なように指先付近に向けて徐々に狭まるように丸みを帯びている。四指保護面４の手首に近い側には吊り下げ用の環状の紐９が設けられているため、壁に掛けたりするのに便利である。四指保護面４は、４本の指の付け根の間接を隠すのに十分で、かつ手の甲にかかる程度の大きさであり、手首まで覆うものではない。四指保護面４は、４本の指を熱から十分に守ることができるとともに、手首まで覆う場合に比べて容易に指を挿入することができる。
【００１６】
親指挿入部３は、布地でそれぞれほぼ平面状に形成された上部把持面６と親指保護面７とを重ね合わせた状態で、親指を入れる入口付近を残して周囲を袋状に縫い合わされている。親指保護面７の外周を含む上部把持面６の外縁は、両面を挟むように布１０が一緒に縫われて補強されており、親指保護面７の指を挿入する入口側も、布１１が一緒に縫われて補強されている。
【００１７】
親指挿入部３は、親指を挿入できればよいため、四指挿入部２に比べて小さく、操作性よく形成されている。親指保護面７は、上部把持面６よりも小さく親指の第２関節付近まで覆う程度の大きさであり、親指を熱から十分に守ることができるとともに、親指の根元や手首まで覆う場合に比べて容易に親指を挿入することができる。図２では、親指挿入部３は、若干持ち上げられた様子を描かれている。
【００１８】
四指挿入部２の下部把持面５と、親指挿入部３の上部把持面６とは、対向した状態で各指を挿入する入口側、すなわち親指と人差し指の股に接するあたりで結合している。この実施形態では下部把持面５と上部把持面６とが１枚の布地で連続的に形成されている。四指挿入部２に４本の指を挿入し、親指挿入部３に親指を挿入した状態で、対向する下部把持面５と上部把持面６との間に物を挟む。親指挿入部３は、四指挿入部２の幅方向中央付近に設けられているため、左右どちらの手も挿入することができる。
【００１９】
下部把持面５は四指保護面４よりも小さく形成され、かつ、親指保護面７は上部把持面６よりも小さく形成されていることにより、四指保護面４を下にした状態で、親指以外の４本の指を挿入する入口、及び、親指を挿入する入口が表に見える状態となるため、鍋つかみ１に容易に指を挿入することができる。
【００２０】
上部把持面６の指の入口両端部と、下部把持面５の指の入口両端部とは、下部把持面５と上部把持面６との両面を重ねた状態で一体に縫い合わせた縫合部１２を形成している。縫合部１２を形成することにより、四指挿入部２と親指挿入部３とを平らに重ねた状態を安定して維持することができる。
【００２１】
上部把持面６の親指の先端が接触する部分と、下部把持面５の４本指の先端が接触する部分とには、ゴムなどの滑りにくい材質で形成された複数のイボ状の滑り止め１３が設けられている。滑り止め１３を設けることにより、物をつかんだ際に鍋つかみ１がずれたり、鍋つかみ１が外れたりする事故を防ぐことができる。なお、滑り止め１３は、ゴムで形成されたものに限らず滑りにくい材質であれば、布やウレタンなどで形成されたものであってもよく、イボ状に限らず線状など他の形態をもつものであってもよい。
【００２２】
この実施形態の鍋つかみ１によれば、テーブルの上においた状態でも、壁に掛けた状態でも、片手で容易に指を挿入して装着することができ、かつ、４本の指を根元まで保護することができる。
【図面の簡単な説明】
【００２３】
【図１】鍋つかみの平面図である。
【図２】鍋つかみの斜視図である。
【符号の説明】
【００２４】
１；鍋つかみ、２；四指挿入部、３；親指挿入部、４；四指保護面、５；下部把持面、
６；上部把持面、７；親指保護面、８；布、９；紐、１０；布、１１；布、
１２；縫合部、１３；滑り止め。
【図１】
0003111824.tif 000003
【図２】
0003111824.tif 000004